(57)【要約】【課題】省エネ効率を図りつつ夜間の視環境を向上させることができる照明制御システムを提供する。【解決手段】複数の照明エリアＡ〜Ｆ毎に配設された照明器具８Ａ〜８Ｆと；照明エリア毎に対応付けされて配設された人の有無を検出する人感センサ６Ａ〜６Ｆと；人感センサの検出結果に応じて、この人感センサに対応付けされて照明エリアに配設された照明器具の光出力を制御する一方、人感センサに対応付けされる照明エリアの範囲を変化させる照明コントローラ２と；を具備している。【選択図】  図１
2009123608.tif 000002
【特許請求の範囲】
【請求項１】
複数の照明エリア毎に配設された照明器具と；
照明エリア毎に対応付けされて配設された人の有無を検出する人感センサと；
人感センサの検出結果に応じて、この人感センサに対応付けされて照明エリアに配設された照明器具の光出力を制御する一方、人感センサに対応付けされる照明エリアの範囲を変化させる制御手段と；
を具備していることを特徴とする照明制御システム。
【請求項２】
制御手段は、時刻に応じて人感センサに対応付けされる照明エリアの範囲を変化させることを特徴とする請求項１記載の照明制御システム。
【請求項３】
照度を検出する照度センサを有し、
制御手段は、照度センサにより検出された照度レベルに応じて人感センサに対応付けされる照明エリアの範囲を変化させることを特徴とする請求項１または２記載の照明制御システム。
【請求項４】
制御手段は、所要の照明エリアの照度が所定値に達するように所要の照明エリアに配設された照明器具の光出力を制御できないときに、その照明エリアに隣接する照明エリアに配設された照明器具の光出力を制御することにより所要の照明エリアの照度が所定値になるように制御する調光手段を、
具備していることを特徴とする請求項１ないし３のいずれか一記載の照明制御システム。
【発明の詳細な説明】
【技術分野】
【０００１】
本発明は、照明器具の光出力を制御する照明制御システムに関する。
【背景技術】
【０００２】
従来、この種の照明制御システムの一例としては、照明器具をそれぞれ具備した複数の照明エリアに人感センサをそれぞれ設け、これら各人感センサの人検出結果に応じて各照明エリアに配設された照明器具をそれぞれ個別に点灯（ＯＮ）または消灯（ＯＦＦ）させるように制御するものが知られている（例えば、特許文献１参照）。
【特許文献１】特開平５−８１５７２号公報
【発明の開示】
【発明が解決しようとする課題】
【０００３】
しかしながら、このような従来の照明制御システムでは、人感センサの検出結果に応じて制御される照明エリアがその人感センサと１対１で固定され、各照明エリア毎に照明器具が個別に点，消灯制御されるので、例えば、人感センサが人の存在を検出している照明エリアのみの照明器具が点灯され、その周囲の隣接照明エリアでは、人感センサが人の存在を検出していないために、照明器具が消灯し、隣接する照明エリア間で明暗の差が大きくなる。
【０００４】
このような照明環境は、外光の採光量が少ない夜間では、特に顕著となり照明器具が点灯中の照明エリアに在席している在席者が違和感を感じ易く、作業効率が低下するという課題がある。
【０００５】
本発明は、このような事情を考慮してなされたもので、その目的は、省エネ効率を図りつつ視環境を向上させることができる照明制御システムを提供することにある。
【課題を解決するための手段】
【０００６】
請求項１に係る照明制御システムは、複数の照明エリア毎に配設された照明器具と；照明エリア毎に対応付けされて配設された人の有無を検出する人感センサと；人感センサの検出結果に応じて、この人感センサに対応付けされて照明エリアに配設された照明器具の光出力を制御する一方、人感センサに対応付けされる照明エリアの範囲を変化させる制御手段と；を具備していることを特徴とする。
【０００７】
請求項２に係る照明制御システムは、制御手段は、時刻に応じて人感センサに対応付けされる照明エリアの範囲を変化させることを特徴とする。
【０００８】
請求項３に係る照明制御システムは、照度を検出する照度センサを有し、制御手段は、照度センサにより検出された照度レベルに応じて人感センサに対応付けされる照明エリアの範囲を変化させることを特徴とする。
【０００９】
請求項４に係る照明制御システムは、制御手段は、所要の照明エリアの照度が所定値に達するように所要の照明エリアに配設された照明器具の光出力を制御できないときに、その照明エリアに隣接する照明エリアに配設された照明器具の光出力を制御することにより所要の照明エリアの照度が所定値になるように制御する調光手段を、具備していることを特徴とする。
【発明の効果】
【００１０】
請求項１に係る照明制御システムによれば、人感センサに対応付けされた照明エリアの範囲を、制御手段により変化させることができるので、例えばこの制御手段により照明エリアの範囲を狭い照明エリアに変えることができる。この場合は、人感センサの検出結果に応じて点灯される照明器具のエリアも狭くなるので、その分、節電を図ることができる。
【００１１】
一方、照明エリアを広いエリアに変えた場合には、照明器具が点灯される照明エリアが拡大するので、この点灯中の照明エリアと消灯中の隣接照明エリアとの間で発生する明暗差の範囲を縮小させることができる。
【００１２】
このために、点灯中の照明エリアに居る人が感じる明暗差に起因する違和感を低減して視環境を改善することができる。
【００１３】
請求項２に係る照明制御システムによれば、例えば昼間等一般的に外光の採光量が多い時刻には、人感センサに対応付けられた照明エリアの範囲を、制御手段により狭いエリアに変えることにより、照明器具を点灯させるエリアを狭くすることができるので、節電を図ることができる。
【００１４】
また、昼間等の時刻では、消灯中の照明エリアも外光等により夜間よりも比較的明るいので、点灯中の隣接エリアとの明暗差も夜間よりも少ない。このために、点灯中の照明エリア内に居る人の明暗差に起因する違和感を低減して視環境を改善することができる。
【００１５】
一方、一般的には外光採光量が昼間よりも少ない夜間等の時刻では、制御手段により照明エリアの範囲を広く変えることにより、上記明暗差に起因する違和感を低減して視環境を改善することができる。
【００１６】
請求項３に係る照明制御システムによれば、例えば昼間等一般的に照明エリアの照度レベルが高い場合には、人感センサに対応付けられた照明エリアの範囲を狭いエリアに変えることができる。
【００１７】
この場合は、点灯される照明器具の範囲も狭いので、節電を図ることができる。
【００１８】
一方、夜間等一般的に照度レベルが低い場合は、人感センサに対応付けられた照明エリアの範囲を広く変えることにより、上記点灯中の照明エリアと消灯中の隣接照明エリアとの明暗差に起因する違和感を低減して視環境を改善することができる。
【００１９】
請求項４に係る照明制御システムは、所要の照明エリアの照度が所要の照度値に達しないときは、この照明エリアの照度値に達するように、その照明エリアに隣接する照明エリアの照明器具の光出力を制御することにより、この所要の照明エリアの照度を所要値にすることができる。
【発明を実施するための最良の形態】
【００２０】
以下、本発明の実施形態を添付図面に基づいて説明する。なお、複数の添付図面中、同一または相当する部分には同一符号を付している。
【００２１】
図１は本発明の一実施形態に係る照明制御システム１の一部を省略して示す構成図、図２はこの照明制御システム１の複数の照明エリアの配置例を平面的に示す模式図である。
【００２２】
これら図１，図２に示すように照明制御システム１は、制御手段の一例である照明コントローラ２と、この照明コントローラ２に、例えば２線式の伝送信号線３を介して電気的に接続された複数の照明エリアＡ，Ｂ，Ｃ，Ｄ，Ｅ，Ｆおよび壁スイッチ４と、を具備している。
【００２３】
各照明エリアＡ〜Ｆは、伝送信号線３に、制御端末器５Ａ，５Ｂ，…，５Ｆ、人感センサ６Ａ，６Ｂ，…，６Ｆおよび照度センサ７Ａ，７Ｂ，…，７Ｆをそれぞれ電気的に接続している。また、各制御端末器５Ａ〜５Ｆには、複数の照明器具８Ａ〜８Ｆをそれぞれ電気的に接続している。
【００２４】
各照明エリアＡ〜Ｆは、例えば会社等の複数の執務場所等の照明すべきエリアをそれぞれ示しており、窓際等により外光の採光量が多いエリアや、窓から遠い等のために外光の採光量が少ないエリア等外光の採光条件がそれぞれ相違する場合がある。
【００２５】
このために、各照明エリアＡ〜Ｆは、調光可能の照明器具８Ａ〜８Ｆを少なくとも１台以上具備している。これら各照明器具８Ａ〜８Ｆは光源として、例えば蛍光ランプ、ＬＥＤ（発光ダイオード）、電球等を具備している。
【００２６】
各人感センサ６Ａ〜６Ｆは、例えば焦電型赤外線センサであり、各照明エリアＡ〜Ｆの例えば天井等に配設され、各照明エリアＡ〜Ｆにそれぞれ対応付けられている。各人感センサ６Ａ〜６Ｆは人の有無を検出するものであり、その人の有無（存否）の検出信号は伝送信号線３を介して照明コントローラ２に伝送される。
【００２７】
各照度センサ７Ａ〜７Ｆは、各照明エリアＡ〜Ｆの照度を検出し、その照度検出信号を伝送信号線３を介して照明コントローラ２に伝送する。
【００２８】
照明コントローラ２は例えばマイクロプロセッサ等から構成され、図示しないＣＰＵ，ＲＡＭ，ＲＯＭを具備している。ＲＯＭにはＣＰＵを制御するプログラムが記録されており、ＣＰＵはこのプログラムに従って人感センサ６Ａ，６Ｂ，…や照度センサ７Ａ，７Ｂ，…から検出信号をそれぞれ読み込み、またはＲＡＭとの間でデータの授受を行なったりしながら必要に応じて処理した制御信号を所要の制御端末器５Ａ，５Ｂ〜５Ｆに与え、照明器具８Ａ〜８Ｆをそれぞれ点灯し、または消灯（あるいは所要の明るさに減光）する。
【００２９】
ＲＡＭには、例えば図２により示す各照明エリアＡ〜Ｆの各アドレスと、これら照明エリアＡ〜Ｆの各人感センサ６Ａ，６Ｂ，６Ｃ，６Ｄ，６Ｅ，６Ｆ、照度センサ７Ａ，７Ｂ，７Ｃ，７Ｄ，７Ｅ，７Ｆ、各制御端末器５Ａ，５Ｂ〜５Ｆの各アドレスと、をそれぞれ記録している。
【００３０】
また、ＲＡＭには、図３で示す時間帯別制御用データテーブル９を記録してあり、ＣＰＵはこの制御用データテーブル９を参照し、時刻に応じて各照明エリアＡ〜Ｆの照明器具８Ａ〜８Ｆを点灯または消灯（あるいは所定の明るさに減光）させる制御を行なう。
【００３１】
時間帯別制御用データテーブル９は１日を、例えば４つの時間帯の８：００〜１７：００、１７：００〜１９：００、１９：００〜２４：００、２４：００〜８：００に分割し、これら時間帯に応じて、個別制御モード、中グループ制御モード、大グループ制御モードにより照明器具８Ａ〜８Ｆを点，消灯制御するように構成されている。
【００３２】
個別制御モードは、各照明エリアＡ〜Ｆの照明器具８Ａ〜８Ｆを、各照明エリアＡ〜Ｆの人感センサ６Ａ〜６Ｆが人の存在を検出したときに、点，消灯制御範囲の最小単位である各照明エリアＡ〜Ｆ毎に、照明器具８Ａ〜８Ｆの全台または所要の台数を点灯させる一方、これら点灯中の照明器具８Ａ〜８Ｆを、各照明エリアＡ〜Ｆの各人感センサ６Ａ〜６Ｆが人の不在を検出したときに、各照明エリアＡ〜Ｆ毎に消灯または所要の明るさに減光する。
【００３３】
したがって、他の照明エリア、例えばＢ〜Ｆの人感センサ６Ｂ〜６Ｆの人の在席／不在（有無）検出結果により、照明エリアＡの照明器具８Ａ，８Ａ，…の点，消灯制御は行なわない。
【００３４】
中グループ制御モードは、例えば全照明エリアＡ〜Ｆを２つの中グループＡ〜Ｃ，Ｄ〜Ｆに２分し、これら各中グループＡ〜Ｃ，Ｄ〜Ｆに対応する人感センサ６Ａ〜６Ｃ，６Ｄ〜６Ｆの少なくとも１台が人の存在を検出したときに、人の存在を検出した人感センサが属する中グループＡ〜ＣまたはＤ〜Ｆ毎の照明器具８Ａ〜８Ｃまたは８Ｄ〜８Ｆの全台または所要の台数を、それぞれ中グループＡ〜Ｃ，Ｄ〜Ｆ毎に点灯させる。一方、これら点灯中の照明器具８Ａ〜８Ｃ，８Ｄ〜８Ｆは、各中グループＡ〜ＣまたはＤ〜Ｆに対する人感センサ６Ａ〜６Ｃの全てまたは６Ｄ〜６Ｆの全てが人の不在をそれぞれ検出したときに、人の不在を検出した人感センサ６Ａ〜６Ｃ、または６Ｄ〜６Ｆが属する各中グループＡ〜Ｃ，Ｄ〜Ｆ毎にそれぞれ消灯または所要の明るさにそれぞれ減光する。
【００３５】
大グループ制御モードは、例えば全部の照明エリアＡ〜Ｆを１つの大グループＡ〜Ｆとして構成し、これら大グループＡ〜Ｆの人感センサ６Ａ〜６Ｆの少なくともいずれか１台が人の存在を検出したときに、これら大グループＡ〜Ｆの照明器具８Ａ〜８Ｆの全台または所要台数を点灯させる。一方、これら点灯中の照明器具８Ａ〜８Ｆを、大グループＡ〜Ｆの人感センサ６Ａ〜６Ｆの全台が人の不存在を検出したときに消灯または所要の明るさに減光する。
【００３６】
そして、照明コントローラ２は、１日毎に時間を計時するクロック（図示せず）と、タイマ（図示せず）を具備している。すなわち、一般に、焦電型赤外線センサの人感センサ６Ａ〜６Ｆは、周囲と温度差のある人等の物体が動くことにより発生する赤外線の変化量を検出することにより、人の存在を検出するので、人が動かない場合は、赤外線の変化量を検出できず、人は存在しない、つまり不在であると判断してしまう。
【００３７】
そこで、照明コントローラ２は、人の存在（在席）を検出した人感センサ６Ａ〜６Ｆから検出信号を受信したときには、これら各人感センサ６Ａ〜６Ｆのアドレス毎に、タイマをそれぞれ起動して所定の設定時間をそれぞれ計時する。そして、これら設定時間内に、同一アドレスの人感センサ６Ａ〜６Ｆから人在席検出信号の入力が無かったときは、照明コントローラ２は、その人感センサ６Ａ〜６Ｆと同じアドレスの照明エリアＡ〜Ｆの人が不在であると判断する。一方、設定時間内に同じアドレスの人感センサ６Ａ〜６Ｆから検出信号を受信したときは、そのアドレスと同一の照明エリアＡ〜Ｆに、人がまだ存在していると判断して、その照明エリアＡ〜Ｆの照明器具８Ａ〜８Ｆの点灯を継続し、そのアドレスのタイマを初期状態にクリアさせてから、再び計時を開始させる。
【００３８】
次に、この照明制御システム１の作用を説明する。
【００３９】
まず、照明コントローラ２は、人感センサ６Ａ〜６Ｆから検出信号を受信すると、その人感センサ６Ａ〜６Ｆのアドレスを検索し、そのアドレス毎にタイマをそれぞれ起動させる。
【００４０】
また、照明コントローラ２はクロックから現在時刻を読み出して、図３で示す時間帯別制御用データテーブル９を参照し、現在時刻がどの時間帯に属するかを判断し、その時間帯が８：００〜１７：００と２４：００〜８：００の場合は各照明エリアＡ〜Ｆを個別制御モードで制御する。
【００４１】
すなわち、この場合、照明コントローラ２は、受信した検出信号を出力した人感センサ、例えば６Ａと同じアドレスの照明エリアＡの制御端末器５Ａに点灯指令信号を、伝送信号線３を介して伝送する。
【００４２】
このために、この制御端末器５Ａは照明エリアＡの照明器具８Ａ，８Ａ，…の予め設定されている全台または所要の台数を点灯させる。
【００４３】
そして、照明コントローラ２は、この照明器具８Ａ，８Ａ，…の点灯中、タイマが計時する所要の設定時間内に同一アドレスの人感センサ６Ａから検出信号を受信したときは、人がまだ在席していると判断し、その点灯を継続させるとともに、タイマを初期状態にクリアしてから再び計時を開始する。
【００４４】
一方、照明コントローラ２は、例えば照明エリアＡの照明器具８Ａ，８Ａ，…の点灯中、タイマの設定時間内に照明エリアＡの人感センサ６Ａから検出信号を受信しないときは、人が不在であると判断し、消灯（または減光）指令信号を照明エリアＡの制御端末器５Ａに与え、点灯中の照明器具８Ａ，８Ａ，…を消灯、または所定の明るさに減光させる。
【００４５】
このような照明器具８Ａ〜８Ｆの点，消灯制御は他の照明エリアＢ〜Ｆについても各照明エリアＢ〜Ｆ毎に行なわれる。
【００４６】
したがって、この個別制御によれば、その制御対象範囲が最も小さいエリアである各照明エリアＡ〜Ｆ毎に点，消灯制御し、人が在席している照明エリアＡ〜Ｆのみ点灯するので、節電を図ることができる。しかも、この時間帯は９時間であり、他の時間帯よりも長いので、その分、節電を促進させることができる。
【００４７】
また、この個別制御モードで制御が行なわれる時間帯である８：００〜１７：００は、太陽光等外光が照明エリアＡ〜Ｆ内に入射される光量が比較的多いので、例えば照明エリアＢの照明器具８Ｂが点灯中で、この照明エリアＢに隣接する照明エリアＡ，Ｃ，Ｅの照明器具８Ａ，８Ｃ，８Ｅが消灯中であっても、明暗差は比較的小さい。
【００４８】
このために、照明エリアＢで執務中の人の違和感も必ずしも大きくなく、視環境も悪くないので、作業効率の低下を抑制することができる。
【００４９】
そして、時間帯が１７：００〜１９：００の中グループ制御モード、１９：００〜２４：００の大グループ制御モードにおいても、上記人感センサ６Ａ〜６Ｆの検出信号により照明器具８Ａ〜８Ｆの全台または所要台数を点灯させ、その点灯中のタイマの計時時間と検出信号により照明器具８Ａ〜８Ｆを消灯（減光）させる制御は上記個別制御モードと基本的に同じであるが、その制御対象範囲が個別制御よりも広い。
【００５０】
すなわち、中グループ制御モードは、例えば一方の中照明グループＡ〜Ｃの人感センサ６Ａ〜６Ｃの少なくとも１台の検出信号に基づいて、一方の中照明グループＡ〜Ｃ、すなわち、３箇所の照明エリアＡ〜Ｃの照明器具８Ａ〜８Ｃの全台または所要台数を点，消灯制御する点で相違する。すなわち、中グループ制御モードは例えば３箇所の照明エリアＡ〜ＣまたはＤ〜Ｆ毎に、照明器具８Ａ〜８Ｃ，８Ｄ〜８Ｆの全台または所要台数を点，消灯制御する。
【００５１】
また、大グループ制御モードは、全照明エリアＡ〜Ｆの少なくともいずれか１台の人感センサ、例えば６Ａの検出信号に基づいて全照明エリアＡ〜Ｆ、すなわち、６箇所の照明エリアＡ〜Ｆの照明器具８Ａ〜８Ｆの全台または所要数の点，消灯を制御する点で特徴を有する。
【００５２】
したがって、この中，大グループ制御モードによれば、１７：００〜１９：００と１９：００〜２４：００の両時間帯では太陽光等の外光の採光が殆ど無いが、仮に１台の人感センサ、例えば６Ｂが人の在席を検出した場合には、この人感センサ６Ｂとアドレスが同一の照明エリアＢの照明器具７Ｂのみを点灯するのではなく、その図２中、左右に隣接する照明エリアＡとＣ、またはその図２中、下段の３箇所の照明エリアＤ〜Ｆの照明器具８Ａ，８Ｃ，８Ｄ〜８Ｆの全台または所要台数を点灯するので、照明エリアＢと、その周辺の照明エリアＡ，Ｃ，Ｄ，Ｆとの明暗差をほぼ解消し、または低減させることができる。
【００５３】
このために、この隣接する照明エリアＡ〜Ｆの明暗差に起因する違和感を低減し、視環境の悪化を改善することができる。
【００５４】
なお、上記中，大グループ制御モードでは、人感センサ６Ａ〜６Ｆの少なくともいずれかが人の存在を検出したときは、人の存在を検出した人感センサ６Ａ〜６Ｆを具備している照明エリアＡ〜Ｆと、その隣接エリアとを点灯させるように構成してもよい。
【００５５】
これによれば、人の居る照明エリアＡ〜Ｆのいずれかと、その隣接照明エリアとの明暗差を縮小させることができるので、在席者周囲の視環境を改善できる。
【００５６】
図４は照度範囲別制御用データテーブル１０であり、図３で示す時間帯別制御用データテーブル９に代えて照明コントローラ２のＲＡＭに記録され、照明エリアＡ〜Ｆの照明器具８Ａ〜８Ｆを点，消灯制御する際に使用される。
【００５７】
すなわち、この照度範囲別制御用データテーブル１０は、時間帯別制御用データテーブル９が１日の時間帯により１日の外光の採光量の多寡を推測するのに対し、直接外光センサ（図示せず）により検出される照度範囲に基づいて、上記個別制御、中，大グループ制御を実行する点に特徴があり、これ以外は上記時間帯別制御と同様であるので、その重複した説明は省略する。
【００５８】
すなわち、この照度範囲別制御は、昼間等外光の採光量が多いために、外光センサの照度検出値が高い場合、例えば照度検出値が７５０ｌｘ以上の場合は、各照明エリアＡ〜Ｆ毎の上記個別制御を行ない、夜間等外光の採光量が少ないか、または無い場合、例えば２５０ｌｘ〜５００ｌｘの場合は上記中グループ制御を、０〜２５０ｌｘの場合は上記大グループ制御をそれぞれ行なう。
【００５９】
したがって、この場合も、上記時間帯制御とほぼ同様の効果を奏することができる。すなわち、昼間等、高照度範囲（７５０ｌｘ以上）の場合は、点，消灯制御範囲が最も小さいエリアである各照明エリアＡ〜Ｆ毎に個別制御するので、節電を図ることができる。
【００６０】
また、夜間等、低照度範囲（２５０ｌｘ５００ｌｘ，０〜２５０ｌｘ）の場合は、上記中，大グループ制御を行なうので、上記隣接する照明エリアＡ〜Ｆの明暗差に起因する違和感を低減し、視環境の悪化を改善することができる。
【００６１】
なお、本発明は、上記照明コントローラ２に図示しない隣接エリア調光手段を設けてもよい。
【００６２】
図５はこの隣接エリア調光手段のフローチャートを示し、ＲＯＭに記録される。図中、Ｓに数字を付した符号はフローチャートの各ステップをそれぞれ示す。
【００６３】
この隣接エリア調光手段は、所要の照明エリア、例えばＢの照明器具８Ｂの経年劣化や汚れ等により光出力が低下している場合や、その隣接照明エリア、例えばＡが消灯中等のために、この照明エリアＢの照明器具８Ｂを例えば調光レベル１００％の全光点灯しても、この所要の照明エリアＢの照度が所定値に達するように制御できないときに、その隣接照明エリアＡの照明器具８Ａの調光度を所定値ずつ、段階的に上昇させることにより、当該照明エリアＢの照度が所定値になるように制御する調光手段である。
【００６４】
すなわち、照明コントローラ２の隣接エリア調光手段は、図５のフローチャートに示すように、まずＳ１で、タイマにより例えば照明エリアＡの人不在を検出すると、消灯（減光）指令信号を照明エリアＡの制御端末器５Ａに送信する。
【００６５】
すると、Ｓ２で、この消灯指令信号を受信した制御端末器５Ａは照明エリアＡの制御端末器５Ａにより当該照明器具８Ａ，８Ａ，…を消灯させる制御を行なう。
【００６６】
次に、Ｓ３で、照明エリアＢの照度センサ７Ｂにより検出された検出照度値を読み込み、次のＳ４で、この検出照度値と設定照度値とを比較して両者の差と、その差を解消させる調光レベルとをそれぞれ算出し、Ｓ５でこの調光レベル信号を照明エリアＢの制御端末器５Ｂに与え、調光制御する。
【００６７】
この調光後、Ｓ６で、再び照明エリアＢの照度センサ７Ｂにより検出された検出照度値を読み込み、Ｓ７で、再度、調光後の新しい検出照度値と設定照度値とを比較し、まだ差があったときに、照明エリアＢの照明器具８Ｂ，８Ｂ，…を調光レベル１００％の調光信号を照明エリアＢの制御端末器５Ｂに与える。
【００６８】
このために、Ｓ８で、制御端末器５Ｂは照明エリアＢの照明器具８，８Ｂ，…を調光レベル１００％で全光点灯させる。
【００６９】
この後Ｓ９で、再び照明エリアＢの照度センサ７Ｂの検出照度値を読み込み、Ｓ１０で、この検出照度値と設定値とに差があることを検出したときに、隣接する消灯中の照明エリアＡの照明器具８Ａ，８Ａ，…を例えば調光レベル１０％で点灯させる点灯調光信号を照明エリアＡの制御端末器５Ａに送信する。
【００７０】
これにより、制御端末器５ＡはＳ１１で、照明エリアＡの照明器具８Ａ，８Ａ，…を１０％調光レベルで点灯させる。
【００７１】
この後、Ｓ１２で再び照明エリアＢの照度センサ７Ｂから、その検出照度値を読み込み、Ｓ１３で、再度照明エリアＢの設定照度値と比較し、まだ差があったときは、隣の照明エリアＡの照明器具８Ａ，８Ａ，…を、その調光レベルがさらに１０％高い２０％の調光レベルで点灯させる調光レベル信号を隣接の照明エリアＡの制御端末器５Ａに再び送信する。
【００７２】
これにより、Ｓ１４で隣接照明エリアＡの制御端末器５Ａにより照明器具８Ａ，８Ａ，…が今度は２０％の調光レベルで調光される。
【００７３】
このように、所要の照明エリア、例えばＢの照明器具８Ｂ，８Ｂ，…の照度が調光レベル１００％の全光点灯によっても所要の設定値に達しないときにも、この照明エリアＢに隣接する消灯中の照明エリアＡの照明器具８Ａ，８Ａ，…を例えば調光レベル１０％で段階的に徐々に上昇させていくので、所要の照明エリアＢの設定値を所要の設定値に調光することができる。
【００７４】
そして、壁スイッチ４は、各照明エリアＡ〜Ｆ毎、または、少なくともそのいずれか１つのエリア等に配設され、その手動オン／オフ操作によりその照明エリアＡ〜Ｆ内の照明器具８Ａ〜８Ｆを、上記自動制御の有無に拘らず、強制的に点灯、消灯（減光）制御することができる。これら自動制御と手動制御は時間的に後に操作された方が先の操作よりも優先される後優先が採用される。
【００７５】
なお、上記実施形態では、タイマを照明コントローラ２に設けた場合について説明したが、本発明はこれに限定されるものではなく、例えば制御端末器５Ａ，５Ｂ〜５Ｆや人感センサ６Ａ，６Ｂ〜６Ｆ、照度センサ７Ａ，７Ｂ〜７Ｆのいずれかに設けてもよい。また、上記照明エリアＡ〜Ｆや照明器具８Ａ〜８Ｆの配設数は適宜変更することができる。さらに、照度センサ７Ａ〜７Ｆのいずれかを外光センサとして共用してもよい。
【図面の簡単な説明】
【００７６】
【図１】本発明の第１の実施形態に係る照明制御システムの構成を一部省略して示す図。
【図２】図１で示す複数の照明エリアの配置例を平面的に示す模式図。
【図３】図１で示す照明コントローラに記録されている時間帯別制御データテーブルを示す図。
【図４】図３で示す時間帯別制御データテーブルに代えて照明コントローラに記録される照度範囲別制御データテーブルを示す図。
【図５】本発明の第２の実施形態に係る隣設エリア調光手段の制御用プログラムのフローチャート。
【符号の説明】
【００７７】
１…照明制御システム、２…照明コントローラ、３…伝送線、４…壁スイッチ、５Ａ〜５Ｆ…制御端末器、６Ａ〜６Ｆ…人感センサ、７Ａ〜７Ｆ…照度センサ、８Ａ〜８Ｆ…照明器具、９…時間帯別制御データテーブル、１０…照度範囲別制御データテーブル。
【図１】
2009123608.tif 000003
【図２】
2009123608.tif 000004
【図３】
2009123608.tif 000005
【図４】
2009123608.tif 000006
【図５】
2009123608.tif 000007